(57)【要約】【課題】  印刷デバイスによる印刷ジョブの実行にエラーが発生した場合の利便性が従来より向上することができる画像形成装置を提供する。【解決手段】  操作が入力される操作部と、情報を表示する表示部と、記録媒体に印刷を実行するプリンターとを備えているＭＦＰは、印刷ジョブの実行を制御する印刷制御手段と、表示部による表示を制御する表示制御手段とを備えており、表示制御手段は、印刷制御手段によって制御されている印刷ジョブのプリンターによる実行にエラーが発生した場合に、ＭＦＰ自身以外のＭＦＰであって印刷ジョブを実行可能であるＭＦＰの一覧である他装置一覧を表示部に表示させ（Ｓ１６２）、印刷制御手段は、他装置一覧において操作部によって選択されたＭＦＰによって印刷ジョブの実行を継続させる（Ｓ１６６）ことを特徴とする。【選択図】  図７
2016000460.tif 000002
【特許請求の範囲】
【請求項１】
操作が入力される入力デバイスと、情報を表示する表示デバイスと、記録媒体に印刷を実行する印刷デバイスとを備えている画像形成装置であって、
印刷ジョブの実行を制御する印刷制御手段と、前記表示デバイスによる表示を制御する表示制御手段とを備えており、
前記表示制御手段は、前記印刷制御手段によって制御されている前記印刷ジョブの前記印刷デバイスによる実行にエラーが発生した場合に、前記画像形成装置自身以外の他の画像形成装置であって前記印刷ジョブを実行可能である画像形成装置の一覧である他装置一覧を前記表示デバイスに表示させ、
前記印刷制御手段は、前記他装置一覧において前記入力デバイスによって選択された前記他の画像形成装置によって前記印刷ジョブの実行を継続させることを特徴とする画像形成装置。
【請求項２】
前記表示制御手段は、前記他装置一覧を前記表示デバイスに表示させている場合に、前記エラーが発生していることも前記表示デバイスに表示させることを特徴とする請求項１に記載の画像形成装置。
【請求項３】
前記表示制御手段は、前記他の画像形成装置によって前記印刷ジョブが実行されている場合に、前記他の画像形成装置によって前記印刷ジョブが実行されていることと、前記エラーが発生していることとを前記表示デバイスに表示させることを特徴とする請求項１または請求項２に記載の画像形成装置。
【請求項４】
前記表示制御手段は、前記エラーが前記印刷ジョブの実行の完了によって解消されるエラーである場合に、前記他の画像形成装置による前記印刷ジョブの実行が完了したとき、前記エラーが発生していることの表示を前記表示デバイスに終了させることを特徴とする請求項３に記載の画像形成装置。
【請求項５】
前記表示制御手段は、前記エラーが発生した場合に、前記他装置一覧の表示の実行を指示するための項目である一覧表示指示項目を前記表示デバイスに表示させ、
前記表示制御手段は、前記一覧表示指示項目が前記入力デバイスによって選択された場合に、前記他装置一覧を前記表示デバイスに表示させることを特徴とする請求項１から請求項４までの何れかに記載の画像形成装置。
【発明の詳細な説明】
【技術分野】
【０００１】
本発明は、他の画像形成装置によって印刷を実行することができる画像形成装置に関する。
【背景技術】
【０００２】
従来、操作が入力される入力デバイスと、情報を表示する表示デバイスと、記録媒体に印刷を実行する印刷デバイスとを備えている画像形成装置であって、画像形成装置自身以外の他の画像形成装置の一覧を表示デバイスに表示させた後、この一覧において入力デバイスによって選択された画像形成装置によって印刷を実行させることができる画像形成装置が知られている（例えば、特許文献１参照。）。
【先行技術文献】
【特許文献】
【０００３】
【特許文献１】特開２０１２−１１６０１８号公報
【発明の概要】
【発明が解決しようとする課題】
【０００４】
本願発明の発明者は、画像形成装置の印刷デバイスによる印刷ジョブの実行にエラーが発生した場合に、この画像形成装置以外の他の画像形成装置によってこの印刷ジョブの実行を継続させることができれば、画像形成装置の利便性が向上すると考えた。
【０００５】
そこで、本発明は、印刷デバイスによる印刷ジョブの実行にエラーが発生した場合の利便性が従来より向上することができる画像形成装置を提供することを目的とする。
【課題を解決するための手段】
【０００６】
本発明の画像形成装置は、操作が入力される入力デバイスと、情報を表示する表示デバイスと、記録媒体に印刷を実行する印刷デバイスとを備えている画像形成装置であって、印刷ジョブの実行を制御する印刷制御手段と、前記表示デバイスによる表示を制御する表示制御手段とを備えており、前記表示制御手段は、前記印刷制御手段によって制御されている前記印刷ジョブの前記印刷デバイスによる実行にエラーが発生した場合に、前記画像形成装置自身以外の他の画像形成装置であって前記印刷ジョブを実行可能である画像形成装置の一覧である他装置一覧を前記表示デバイスに表示させ、前記印刷制御手段は、前記他装置一覧において前記入力デバイスによって選択された前記他の画像形成装置によって前記印刷ジョブの実行を継続させることを特徴とする。
【０００７】
この構成により、本発明の画像形成装置は、印刷デバイスによる印刷ジョブの実行にエラーが発生した場合に、表示デバイスに表示させた他装置一覧において入力デバイスによって選択された他の画像形成装置によって印刷ジョブの実行を継続させるので、印刷デバイスによる印刷ジョブの実行にエラーが発生した場合の利便性が従来より向上することができる。
【０００８】
また、本発明の画像形成装置において、前記表示制御手段は、前記他装置一覧を前記表示デバイスに表示させている場合に、前記エラーが発生していることも前記表示デバイスに表示させても良い。
【０００９】
この構成により、本発明の画像形成装置は、他装置一覧を表示デバイスに表示させている場合にも、画像形成装置自身にエラーが発生していることを利用者に認識させることができる。
【００１０】
また、本発明の画像形成装置において、前記表示制御手段は、前記他の画像形成装置によって前記印刷ジョブが実行されている場合に、前記他の画像形成装置によって前記印刷ジョブが実行されていることと、前記エラーが発生していることとを前記表示デバイスに表示させても良い。
【００１１】
この構成により、本発明の画像形成装置は、他の画像形成装置によって印刷ジョブが実行されている場合にも、画像形成装置自身にエラーが発生していることを利用者に認識させることができる。
【００１２】
また、本発明の画像形成装置において、前記表示制御手段は、前記エラーが前記印刷ジョブの実行の完了によって解消されるエラーである場合に、前記他の画像形成装置による前記印刷ジョブの実行が完了したとき、前記エラーが発生していることの表示を前記表示デバイスに終了させても良い。
【００１３】
この構成により、本発明の画像形成装置は、エラーが解消された場合に適切にエラーの表示を終了するので、画像形成装置自身にエラーが発生していることを利用者に誤認させることを防ぐことができる。
【００１４】
また、本発明の画像形成装置において、前記表示制御手段は、前記エラーが発生した場合に、前記他装置一覧の表示の実行を指示するための項目である一覧表示指示項目を前記表示デバイスに表示させ、前記表示制御手段は、前記一覧表示指示項目が前記入力デバイスによって選択された場合に、前記他装置一覧を前記表示デバイスに表示させても良い。
【００１５】
この構成により、本発明の画像形成装置は、入力デバイスへの利用者の指示に応じて他装置一覧を表示デバイスに表示させるので、他の画像形成装置に印刷ジョブが実行されることを希望しない利用者にとって不要な他装置一覧によって、表示デバイスの表示が視認し難くなることを防止することができる。
【発明の効果】
【００１６】
本発明の画像形成装置は、印刷デバイスによる印刷ジョブの実行にエラーが発生した場合の利便性が従来より向上することができる。
【図面の簡単な説明】
【００１７】
【図１】本発明の一実施の形態に係る画像形成システムのブロック図である。
【図２】図１に示すＭＦＰのブロック図である。
【図３】図１に示す管理サーバーのブロック図である。
【図４】図３に示すＭＦＰ情報の一例を示す図である。
【図５】プリンターによる印刷ジョブの実行にエラーが発生した場合の図２に示すＭＦＰの動作のフローチャートである。
【図６】図５の続きのフローチャートである。
【図７】図６の続きのフローチャートである。
【図８】図２に示す表示部に表示される通常画面の一例を示す図である。
【図９】図２に示す表示部に表示されるエラー表示画面の一例を示す図である。
【図１０】図２に示す表示部に表示されるメニュー画面の一例を示す図である。
【図１１】図２に示す表示部に表示される他装置一覧画面の一例を示す図である。
【図１２】図２に示す表示部に表示される他装置印刷中画面の一例を示す図である。
【図１３】図２に示す表示部に表示される他装置印刷終了画面の一例を示す図である。
【発明を実施するための形態】
【００１８】
以下、本発明の一実施の形態について、図面を用いて説明する。
【００１９】
まず、本実施の形態に係る画像形成システムの構成について説明する。
【００２０】
図１は、本実施の形態に係る画像形成システム１０のブロック図である。
【００２１】
図１に示すように、画像形成システム１０は、ＭＦＰ（Ｍｕｌｔｉｆｕｎｃｔｉｏｎ  Ｐｅｒｉｐｈｅｒａｌ）２０を含む複数のＭＦＰと、複数のＭＦＰを管理する管理サーバー９０とを備えている。複数のＭＦＰおよび管理サーバー９０は、ＬＡＮ（Ｌｏｃａｌ  Ａｒｅａ  Ｎｅｔｗｏｒｋ）、インターネットなどのネットワーク１１経由で互いに通信可能に接続されている。
【００２２】
画像形成システム１０の複数のＭＦＰのうちＭＦＰ２０以外のＭＦＰは、ＭＦＰ２０が本発明の画像形成装置である場合に、本発明の他の画像形成装置を構成している。
【００２３】
図２は、ＭＦＰ２０のブロック図である。
【００２４】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙に印刷を実行する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ネットワーク１１経由で外部の装置と通信を行うネットワーク通信デバイスであるネットワーク通信部２６と、種々の情報を記憶することが可能である記憶デバイスとしての記憶部２７と、ＭＦＰ２０全体を制御する制御部２８とを備えている。
【００２５】
操作部２１は、表示部２２とともにタッチパネルを形成する入力デバイスを含んでいても良い。
【００２６】
記憶部２７は、ＭＦＰ２０によって実行される画像形成装置用プログラム２７ａを記憶している。
【００２７】
画像形成装置用プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００２８】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００２９】
制御部２８は、記憶部２７に記憶されている画像形成装置用プログラム２７ａを実行することによって、印刷ジョブの実行を制御する印刷制御手段２８ａ、および、表示部２２による表示を制御する表示制御手段２８ｂとして機能する。
【００３０】
画像形成システム１０の複数のＭＦＰのうちＭＦＰ２０以外のＭＦＰの構成は、ＭＦＰ２０の構成と同様であるので、説明を省略する。
【００３１】
図３は、管理サーバー９０のブロック図である。
【００３２】
図３に示すように、管理サーバー９０は、利用者による種々の操作が入力されるキーボード、マウスなどの入力デバイスである操作部９１と、種々の情報を表示するＬＣＤなどの表示デバイスである表示部９２と、ネットワーク１１経由で外部の装置と通信を行うネットワーク通信デバイスであるネットワーク通信部９３と、種々の情報を記憶することが可能であるＨＤＤなどの記憶デバイスである記憶部９４と、管理サーバー９０全体を制御する制御部９５とを備えている。管理サーバー９０は、例えばＰＣ（Ｐｅｒｓｏｎａｌ  Ｃｏｍｐｕｔｅｒ）などのコンピューターによって構成されている。
【００３３】
記憶部９４は、管理サーバー９０によって実行されるサーバー用プログラム９４ａを記憶している。また、記憶部９４は、画像形成システム１０上のＭＦＰに関する情報であるＭＦＰ情報９４ｂを記憶することができるようになっている。
【００３４】
サーバー用プログラム９４ａは、管理サーバー９０の製造段階で管理サーバー９０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢメモリーなどの記憶媒体から管理サーバー９０に追加でインストールされても良いし、ネットワーク１１上から管理サーバー９０に追加でインストールされても良い。
【００３５】
制御部９５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部９４に記憶されているプログラムを実行するようになっている。
【００３６】
図４は、ＭＦＰ情報９４ｂの一例を示す図である。
【００３７】
図４に示すように、ＭＦＰ情報９４ｂは、ＭＦＰのＩＤと、ＭＦＰのＩＰ（Ｉｎｔｅｒｎｅｔ  Ｐｒｏｔｏｃｏｌ）アドレスと、ＭＦＰが対応可能な記録媒体のサイズである対応サイズと、例えば普通紙、ＯＨＰ（Ｏｖｅｒｈｅａｄ  Ｐｒｏｊｅｃｔｏｒ）シートなど、ＭＦＰが対応可能な記録媒体のタイプである対応タイプとを含んでいる。ＭＦＰ情報９４ｂは、他にも様々な情報を含んでいても良い。例えば、ＭＦＰ情報９４ｂは、印刷後の記録媒体の仕分け、ステープルなど、ＭＦＰが対応可能な後処理の種類を含んでいても良い。
【００３８】
例えば、図４に示すＭＦＰ情報９４ｂにおいて、ＩＤが「ＭＦＰ００１」であるＭＦＰは、ＩＰアドレスが「１９２．１６８．０．２１」であり、対応サイズが「Ａ４」および「Ａ３」であり、対応タイプが「普通紙」および「ＯＨＰシート」である。
【００３９】
管理サーバー９０の制御部９５は、記憶部９４に記憶されているサーバー用プログラム９４ａを実行することによって、ネットワーク通信部９３を介して画像形成システム１０上の全てのＭＦＰから情報を収集して、ＭＦＰ情報９４ｂを生成する。制御部９５が画像形成システム１０上のＭＦＰから情報を収集するタイミングとしては、任意のタイミングを採用することが可能であるが、ＭＦＰ情報９４ｂが画像形成システム１０上のＭＦＰの実際の状態に合った情報に常に維持されることができるタイミングであることが好ましい。
【００４０】
次に、ＭＦＰ２０の動作について説明する。
【００４１】
ＭＦＰ２０の制御部２８は、印刷制御手段２８ａによって制御されている印刷ジョブ（以下「対象印刷ジョブ」と言う。）のプリンター２３による実行にエラーが発生した場合、図５〜図７に示す動作を実行する。
【００４２】
図５は、プリンター２３による対象印刷ジョブの実行にエラーが発生した場合のＭＦＰ２０の動作のフローチャートである。図６は、図５の続きのフローチャートである。図７は、図６の続きのフローチャートである。
【００４３】
図５〜図７に示すように、ＭＦＰ２０の制御部２８の表示制御手段２８ｂは、例えば通常画面３０（図８参照。）を表示していた表示部２２に、エラーが発生していることを示す画面であるエラー表示画面４０（図９参照。）を表示させる（Ｓ１０１）。
【００４４】
図８は、表示部２２に表示される通常画面３０の一例を示す図である。
【００４５】
図８に示すように、通常画面３０は、コピーができることを示すメッセージを含んでいる。
【００４６】
図９は、表示部２２に表示されるエラー表示画面４０の一例を示す図である。
【００４７】
図９に示すように、エラー表示画面４０は、エラーが発生していることを示すエラーメッセージ４１と、対象印刷ジョブの実行を終了することを指示するための項目である印刷キャンセルボタン４２と、後述のメニュー画面５０（図１０参照。）の表示の実行を指示するための項目であるメニューボタン４３とを含んでいる。
【００４８】
エラーメッセージ４１は、エラーが発生していることを示すメッセージのみではなく、そのエラーの内容も含んでいる。エラーの内容は、例えば、プリンター２３内で記録媒体が詰まったことを意味する紙詰まりエラー、対象印刷ジョブにおいて指定されている記録媒体のサイズと、プリンター２３の複数の給紙トレイのうち対象印刷ジョブにおいて指定されている給紙トレイに設定されている記録媒体のサイズとが一致しないことを意味するサイズミスマッチエラー、対象印刷ジョブにおいて指定されている記録媒体のタイプと、プリンター２３の複数の給紙トレイのうち対象印刷ジョブにおいて指定されている給紙トレイに設定されている記録媒体のタイプとが一致しないことを意味するタイプミスマッチエラーなどである。
【００４９】
ここで、表示制御手段２８ｂは、対象印刷ジョブが存在しない場合、印刷キャンセルボタン４２およびメニューボタン４３が押されることができないように、印刷キャンセルボタン４２およびメニューボタン４３をグレーアウトする。なお、エラー表示画面４０は、例えば紙詰まりエラーが発生している場合に対象印刷ジョブの印刷が終了したときなど、対象印刷ジョブが存在しない場合にも表示部２２に表示されることがある。
【００５０】
図５〜図７に示すように、制御部２８の印刷制御手段２８ａは、Ｓ１０１の処理の後、エラーが解消されたか否かを判断する（Ｓ１０２）。
【００５１】
表示制御手段２８ｂは、エラーが解消されたとＳ１０２において判断されると、通常画面３０（図８参照。）を表示部２２に表示させる（Ｓ１０３）。
【００５２】
次いで、印刷制御手段２８ａは、対象印刷ジョブが存在するか否かを判断する（Ｓ１０４）。
【００５３】
印刷制御手段２８ａは、対象印刷ジョブが存在するとＳ１０４において判断すると、プリンター２３による対象印刷ジョブの実行を継続して（Ｓ１０５）、図５〜図７に示す動作を終了する。
【００５４】
一方、印刷制御手段２８ａは、対象印刷ジョブが存在しないとＳ１０４において判断すると、Ｓ１０５の処理を実行せずに、図５〜図７に示す動作を終了する。
【００５５】
印刷制御手段２８ａは、エラーが解消されていないとＳ１０２において判断すると、印刷キャンセルボタン４２が操作部２１によって押されたか否かを判断する（Ｓ１０６）。
【００５６】
印刷制御手段２８ａは、印刷キャンセルボタン４２が押されたとＳ１０６において判断すると、対象印刷ジョブの実行を終了する（Ｓ１０７）。
【００５７】
次いで、印刷制御手段２８ａは、エラーが解消されたか否かを判断する（Ｓ１０８）。ここで、印刷制御手段２８ａは、例えば紙詰まりエラーが発生している場合などに、エラーが解消されていないと判断する。
【００５８】
表示制御手段２８ｂは、エラーが解消されたとＳ１０８において判断されると、通常画面３０（図８参照。）を表示部２２に表示させて（Ｓ１０９）、図５〜図７に示す動作を終了する。
【００５９】
一方、印刷制御手段２８ａは、エラーが解消されていないとＳ１０８において判断すると、再びＳ１０２の処理に戻る。
【００６０】
印刷制御手段２８ａは、印刷キャンセルボタン４２が押されていないとＳ１０６において判断すると、メニューボタン４３が押されたか否かを判断する（Ｓ１１０）。
【００６１】
印刷制御手段２８ａは、メニューボタン４３が押されていないとＳ１１０において判断すると、再びＳ１０２の処理に戻る。
【００６２】
表示制御手段２８ｂは、メニューボタン４３が押されたとＳ１１０において判断されると、メニュー画面５０（図１０参照。）を表示部２２に表示させる（Ｓ１３１）。
【００６３】
図１０は、表示部２２に表示されるメニュー画面５０の一例を示す図である。
【００６４】
図１０に示すように、メニュー画面５０は、エラーメッセージ４１と、対象印刷ジョブの実行によって形成される画像のサイズ（以下「出力サイズ」と言う。）を、対象印刷ジョブにおいて指定されている記録媒体のサイズ（以下「指定サイズ」と言う。）から、プリンター２３の複数の給紙トレイのうち対象印刷ジョブにおいて指定されている給紙トレイ（以下「指定トレイ」と言う。）に設定されている記録媒体のサイズ（以下「指定トレイサイズ」と言う。）に変更することを指示するための項目である出力サイズ変更ボタン５１と、対象印刷ジョブの実行に使用する給紙トレイ（以下「使用トレイ」と言う。）を、指定トレイから、出力サイズより大きな記録媒体のサイズが設定されている給紙トレイ（以下「出力サイズ超トレイ」と言う。）に変更することを指示するための項目である代用印刷ボタン５２と、対象印刷ジョブの実行においてプリンター２３が動作の対象とする記録媒体のタイプ（以下「出力タイプ」と言う。）を、対象印刷ジョブにおいて指定されている記録媒体のタイプ（以下「指定タイプ」と言う。）から、指定トレイに設定されている記録媒体のタイプ（以下「指定トレイタイプ」と言う。）に変更することを指示するための項目である出力タイプ変更ボタン５３と、ＭＦＰ２０以外のＭＦＰであって対象印刷ジョブを実行可能であるＭＦＰの一覧である他装置一覧の表示の実行を指示するための項目である一覧表示指示項目としての他装置一覧ボタン５４と、表示部２２の表示をエラー表示画面４０に戻すことを指示するための項目であるキャンセルボタン５５とを含んでいる。
【００６５】
ここで、表示制御手段２８ｂは、エラーの内容が紙詰まりエラーやタイプミスマッチエラーである場合に、出力サイズ変更ボタン５１および代用印刷ボタン５２が押されることができないように、出力サイズ変更ボタン５１および代用印刷ボタン５２をグレーアウトする。更に、表示制御手段２８ｂは、エラーの内容がサイズミスマッチエラーである場合であっても、プリンター２３の複数の給紙トレイに出力サイズ超トレイが存在しないときに、代用印刷ボタン５２が押されることができないように、代用印刷ボタン５２をグレーアウトする。また、表示制御手段２８ｂは、エラーの内容が紙詰まりエラーやサイズミスマッチエラーである場合に、出力タイプ変更ボタン５３が押されることができないように、出力タイプ変更ボタン５３をグレーアウトする。
【００６６】
図５〜図７に示すように、印刷制御手段２８ａは、Ｓ１３１の処理の後、エラーが解消されたか否かを判断する（Ｓ１３２）。
【００６７】
印刷制御手段２８ａは、エラーが解消されたとＳ１３２において判断すると、通常画面３０（図８参照。）を表示部２２に表示させる（Ｓ１０３）。
【００６８】
一方、印刷制御手段２８ａは、エラーが解消されていないとＳ１３２において判断すると、出力サイズ変更ボタン５１が操作部２１によって押されたか否かを判断する（Ｓ１３３）。
【００６９】
印刷制御手段２８ａは、出力サイズ変更ボタン５１が押されたとＳ１３３において判断すると、出力サイズを指定サイズから指定トレイサイズに変更した後（Ｓ１３４）、通常画面３０（図８参照。）を表示部２２に表示させる（Ｓ１０３）。
【００７０】
一方、印刷制御手段２８ａは、出力サイズ変更ボタン５１が押されていないとＳ１３３において判断すると、代用印刷ボタン５２が操作部２１によって押されたか否かを判断する（Ｓ１３５）。
【００７１】
印刷制御手段２８ａは、代用印刷ボタン５２が押されたとＳ１３５において判断すると、使用トレイを指定トレイから出力サイズ超トレイに変更した後（Ｓ１３６）、通常画面３０（図８参照。）を表示部２２に表示させる（Ｓ１０３）。
【００７２】
一方、印刷制御手段２８ａは、代用印刷ボタン５２が押されていないとＳ１３５において判断すると、出力タイプ変更ボタン５３が操作部２１によって押されたか否かを判断する（Ｓ１３７）。
【００７３】
印刷制御手段２８ａは、出力タイプ変更ボタン５３が押されたとＳ１３７において判断すると、出力タイプを指定タイプから指定トレイタイプに変更した後（Ｓ１３８）、通常画面３０（図８参照。）を表示部２２に表示させる（Ｓ１０３）。
【００７４】
一方、印刷制御手段２８ａは、出力タイプ変更ボタン５３が押されていないとＳ１３７において判断すると、キャンセルボタン５５が操作部２１によって押されたか否かを判断する（Ｓ１３９）。
【００７５】
表示制御手段２８ｂは、キャンセルボタン５５が押されたとＳ１３９において判断されると、エラー表示画面４０（図９参照。）を表示部２２に表示させる（Ｓ１０１）。
【００７６】
印刷制御手段２８ａは、キャンセルボタン５５が押されていないとＳ１３９において判断すると、他装置一覧ボタン５４が操作部２１によって押されたか否かを判断する（Ｓ１４０）。
【００７７】
印刷制御手段２８ａは、他装置一覧ボタン５４が押されていないとＳ１４０において判断すると、再びＳ１３２の処理に戻る。
【００７８】
表示制御手段２８ｂは、他装置一覧ボタン５４が押されたとＳ１４０において判断されると、画像形成システム１０のＭＦＰのうち、ＭＦＰ２０以外のＭＦＰであって対象印刷ジョブを実行可能であるＭＦＰを検索する（Ｓ１６１）。ここで、表示制御手段２８ｂは、ネットワーク通信部２６を介して管理サーバー９０から取得したＭＦＰ情報９４ｂにおける対応サイズ、対応タイプ、対応可能な後処理の種類などのＭＦＰの能力が、対象印刷ジョブにおける指定サイズ、指定タイプ、指定された後処理の種類などの印刷設定に対応しているか否かによって、対象印刷ジョブを実行可能であるＭＦＰを検索する。例えば、表示制御手段２８ｂは、ＭＦＰ情報９４ｂが図４に示す情報である場合であって、対象印刷ジョブにおける指定サイズ、指定タイプがＡ３サイズ、ＯＨＰシートである場合、Ｓ１６１における検索によって、対象印刷ジョブを実行可能であるＭＦＰとして、ＩＤが「ＭＦＰ００１」であるＭＦＰを抽出する。
【００７９】
次いで、表示制御手段２８ｂは、Ｓ１６１において検索したＭＦＰの一覧である他装置一覧を表示する画面である他装置一覧画面６０（図１１参照。）を表示部２２に表示させる（Ｓ１６２）。
【００８０】
図１１は、表示部２２に表示される他装置一覧画面６０の一例を示す図である。
【００８１】
図１１に示すように、他装置一覧画面６０は、エラーメッセージ４１と、他装置一覧を示すリストボックス６１と、リストボックス６１において選択されたＭＦＰによって対象印刷ジョブの実行を継続させることを指示するための項目である印刷ボタン６２と、表示部２２の表示をメニュー画面５０に戻すことを指示するための項目であるキャンセルボタン６３とを含んでいる。
【００８２】
図５〜図７に示すように、印刷制御手段２８ａは、Ｓ１６２の処理の後、エラーが解消されたか否かを判断する（Ｓ１６３）。
【００８３】
印刷制御手段２８ａは、エラーが解消されたとＳ１６３において判断すると、通常画面３０（図８参照。）を表示部２２に表示させる（Ｓ１０３）。
【００８４】
一方、印刷制御手段２８ａは、エラーが解消されていないとＳ１６３において判断すると、キャンセルボタン６３が操作部２１によって押されたか否かを判断する（Ｓ１６４）。
【００８５】
表示制御手段２８ｂは、キャンセルボタン６３が押されたとＳ１６４において判断されると、メニュー画面５０（図１０参照。）を表示部２２に表示させる（Ｓ１３１）。
【００８６】
印刷制御手段２８ａは、キャンセルボタン６３が押されていないとＳ１６４において判断すると、印刷ボタン６２が操作部２１によって押されたか否かを判断する（Ｓ１６５）。
【００８７】
印刷制御手段２８ａは、印刷ボタン６２が押されていないとＳ１６５において判断すると、再びＳ１６３の処理に戻る。
【００８８】
印刷制御手段２８ａは、印刷ボタン６２が押されたとＳ１６５において判断すると、リストボックス６１において選択されたＭＦＰにネットワーク通信部２６を介して対象印刷ジョブを送信することによって、このＭＦＰに対象印刷ジョブの実行を継続させる（Ｓ１６６）。
【００８９】
次いで、表示制御手段２８ｂは、他装置で印刷中であることを示す画面である他装置印刷中画面７０（図１２参照。）を表示部２２に表示させる（Ｓ１６７）。
【００９０】
図１２は、表示部２２に表示される他装置印刷中画面７０の一例を示す図である。
【００９１】
図１２に示すように、他装置印刷中画面７０は、エラーメッセージ４１と、他装置で印刷中であることを示すメッセージ７１とを含んでいる。
【００９２】
図５〜図７に示すように、表示制御手段２８ｂは、Ｓ１６７の処理の後、Ｓ１６６において対象印刷ジョブの実行を継続させたＭＦＰからネットワーク通信部２６を介して取得する印刷状況に基づいて、このＭＦＰによる対象印刷ジョブの印刷が終了したと判断するまで、このＭＦＰによる対象印刷ジョブの印刷が終了したか否かを判断する（Ｓ１６８）。
【００９３】
表示制御手段２８ｂは、Ｓ１６６において対象印刷ジョブの実行を継続させたＭＦＰによる対象印刷ジョブの印刷が終了したとＳ１６８において判断すると、他装置で印刷が終了したことを示す画面である他装置印刷終了画面８０（図１３参照。）を表示部２２に表示させる（Ｓ１６９）。
【００９４】
図１３は、表示部２２に表示される他装置印刷終了画面８０の一例を示す図である。
【００９５】
図１３に示すように、他装置印刷終了画面８０は、エラーメッセージ４１と、他装置で印刷が終了したことを示すメッセージ８１とを含んでいる。
【００９６】
図５〜図７に示すように、印刷制御手段２８ａは、Ｓ１６９の処理の後、エラーが解消されたか否かを判断する（Ｓ１７０）。ここで、印刷制御手段２８ａは、例えば紙詰まりエラーが発生している場合などに、エラーが解消されていないと判断する。
【００９７】
表示制御手段２８ｂは、エラーが解消されたとＳ１７０において判断されると、通常画面３０（図８参照。）を表示部２２に表示させて（Ｓ１７１）、図５〜図７に示す動作を終了する。
【００９８】
一方、印刷制御手段２８ａは、エラーが解消されていないとＳ１７０において判断すると、エラー表示画面４０（図９参照。）を表示部２２に表示させて（Ｓ１７２）、図５〜図７に示す動作を終了する。
【００９９】
以上に説明したように、ＭＦＰ２０の表示制御手段２８ｂは、印刷制御手段２８ａによって制御されている印刷ジョブのプリンター２３による実行にエラーが発生した場合に、ＭＦＰ２０自身以外のＭＦＰであって印刷ジョブを実行可能であるＭＦＰ２０の一覧である他装置一覧を示すリストボックス６１を表示部２２に表示させる（Ｓ１６２）。また、ＭＦＰ２０の印刷制御手段２８ａは、他装置一覧において操作部２１によって選択されたＭＦＰによって印刷ジョブの実行を継続させる（Ｓ１６６）。すなわち、ＭＦＰ２０は、プリンター２３による印刷ジョブの実行にエラーが発生した場合に、表示部２２に表示させた他装置一覧において操作部２１によって選択されたＭＦＰによって印刷ジョブの実行を継続させる。したがって、ＭＦＰ２０は、プリンター２３による印刷ジョブの実行にエラーが発生した場合の利便性が従来より向上することができる。
【０１００】
ＭＦＰ２０のプリンター２３による印刷ジョブの実行にエラーが発生した場合に、この印刷ジョブの実行をＭＦＰ２０以外のＭＦＰによって継続させることができるので、ＭＦＰ２０の利用者は、早急に印刷結果を入手することができる。
【０１０１】
また、ＭＦＰ２０は、他装置一覧を示すリストボックス６１を表示部２２に表示させている場合（Ｓ１６２）に、エラーが発生していることも表示部２２に表示させる（図１１参照。）ので、他装置一覧を表示部２２に表示させている場合にも、ＭＦＰ２０自身にエラーが発生していることを利用者に認識させることができる。
【０１０２】
また、ＭＦＰ２０は、ＭＦＰ２０自身以外のＭＦＰによって印刷ジョブが実行されている場合（Ｓ１６６）に、このＭＦＰによって印刷ジョブが実行されていることと、エラーが発生していることとを表示部２２に表示させる（図１２参照。）ので、ＭＦＰ２０自身以外のＭＦＰによって印刷ジョブが実行されている場合にも、ＭＦＰ２０自身にエラーが発生していることを利用者に認識させることができる。
【０１０３】
なお、ＭＦＰ２０は、図１１〜図１３に示す画面において、ＭＦＰ２０自身にエラーが発生していることを画面の左半分に表示させるようになっているが、ＭＦＰ２０自身にエラーが発生していることを、画面の右半分、上半分、下半分など、左半分以外の範囲に表示させるようになっていても良いし、画面の半分より小さい範囲、または、大きい範囲に表示させるようになっていても良い。
【０１０４】
ＭＦＰ２０は、エラーが印刷ジョブの実行の完了によって解消されるエラーである場合に、ＭＦＰ２０自身以外のＭＦＰによる印刷ジョブの実行が完了したとき（Ｓ１６８でＹＥＳおよびＳ１７０でＹＥＳ）、エラーが発生していることの表示を表示部２２に終了させる（Ｓ１７１）。すなわち、ＭＦＰ２０は、エラーが解消された場合に適切にエラーの表示を終了する。したがって、ＭＦＰ２０は、ＭＦＰ２０自身にエラーが発生していることを利用者に誤認させることを防ぐことができる。
【０１０５】
また、ＭＦＰ２０は、エラーが発生した場合に他装置一覧ボタン５４を表示部２２に表示させ（Ｓ１３１）、他装置一覧ボタン５４が操作部２１によって選択された場合（Ｓ１４０でＹＥＳ）に他装置一覧を示すリストボックス６１を表示部２２に表示させる（Ｓ１６２）。すなわち、ＭＦＰ２０は、操作部２１への利用者の指示に応じて他装置一覧を表示部２２に表示させる。したがって、ＭＦＰ２０は、ＭＦＰ２０自身以外のＭＦＰに印刷ジョブが実行されることを希望しない利用者にとって不要な他装置一覧によって、表示部２２の表示が視認し難くなることを防止することができる。
【０１０６】
なお、画像形成システム１０は、ＭＦＰ２０以外のＭＦＰであって対象印刷ジョブを実行可能であるＭＦＰをＭＦＰ２０自身で検索するようになっているが、ＭＦＰ２０が対象印刷ジョブを管理サーバー９０に送信することによって、ＭＦＰ２０以外のＭＦＰであって対象印刷ジョブを実行可能であるＭＦＰを管理サーバー９０が検索し、管理サーバー９０による検索結果をＭＦＰ２０が管理サーバー９０から受信するようになっていても良い。
【０１０７】
また、ＭＦＰ２０は、管理サーバー９０から取得したＭＦＰ情報９４ｂを使用することによって、ＭＦＰ２０以外のＭＦＰであって対象印刷ジョブを実行可能であるＭＦＰを検索するようになっているが、ＭＦＰ情報９４ｂと同等のＭＦＰ情報をＭＦＰ２０自身が収集することによって、ＭＦＰ２０以外のＭＦＰであって対象印刷ジョブを実行可能であるＭＦＰを検索するようになっていても良い。ここで、ＭＦＰ２０がＭＦＰ情報を収集するタイミングとしては、任意のタイミングを採用することができる。例えば、ＭＦＰ２０は、他の処理を実行していない空き時間にＭＦＰ情報を収集するようになっても良いし、プリンター２３による対象印刷ジョブの実行にエラーが発生した場合にＭＦＰ情報を収集するようになっても良い。なお、画像形成システム１０は、ＭＦＰ情報９４ｂと同等のＭＦＰ情報をＭＦＰ２０が収集するようになっている場合、管理サーバー９０を備えている必要がない。
【０１０８】
また、本発明の画像形成装置は、本実施の形態においてＭＦＰであるが、コピー専用機、プリンター専用機など、ＭＦＰ以外の画像形成装置であっても良い。
【符号の説明】
【０１０９】
２０  ＭＦＰ（画像形成装置）
２１  操作部（入力デバイス）
２２  表示部（表示デバイス）
２３  プリンター（印刷デバイス）
２８ａ  印刷制御手段
２８ｂ  表示制御手段
５４  他装置一覧ボタン（一覧表示指示項目）
【図１】
2016000460.tif 000003
【図２】
2016000460.tif 000004
【図３】
2016000460.tif 000005
【図４】
2016000460.tif 000006
【図５】
2016000460.tif 000007
【図６】
2016000460.tif 000008
【図７】
2016000460.tif 000009
【図８】
2016000460.tif 000010
【図９】
2016000460.tif 000011
【図１０】
2016000460.tif 000012
【図１１】
2016000460.tif 000013
【図１２】
2016000460.tif 000014
【図１３】
2016000460.tif 000015